(57)【特許請求の範囲】
【請求項１】
筒状の胴部と、前記胴部の上端に設けられた天部と、前記胴部の下端に設けられた底部と、を有し、内容物を内部に収めるための紙容器において、
前記天部又は前記底部のいずれか一方に設けられて、前記内容物を外部に取り出すために開封可能な取出部と、
前記取出部が設けられた前記天部又は前記底部のいずれかに設けられ、前記取出部が開封された状態で前記取出部が設けられた前記天部又は前記底部のいずれかに厚さ方向と直交する方向の力が加えられた場合に前記取出部が設けられた前記天部又は前記底部が折り曲がるように構成された折り曲げ線と、
前記取出部が設けられた前記天部又は前記底部のいずれかに設けられ、前記取出部が開封された状態で前記折り曲げ線に沿って前記天部又は前記底部が折り曲げられることによって前記天部又は前記底部が引き裂かれるように構成され、前記折り曲げ線と交差する方向に延びる引き裂き線と、を備え、
前記取出部が開封された状態で前記天部又は前記底部のいずれかに前記力が加えられた場合に開封された前記取出部がきっかけとなって前記折り曲げ線に沿って前記天部又は前記底部が折り曲げられるように、前記取出部及び前記折り曲げ線のそれぞれが配置されていることを特徴とする紙容器。
【請求項２】
筒状の胴部と、前記胴部の上端に設けられた天部と、前記胴部の下端に設けられた底部と、を有し、内容物を内部に収めるための紙容器において、
前記天部又は前記底部のいずれか一方に設けられて、前記内容物を外部に取り出すために開封可能な取出部と、前記取出部が設けられた前記天部又は前記底部のいずれかに設けられ、前記取出部が開封された状態で前記取出部が設けられた前記天部又は前記底部のいずれかに厚さ方向と直交する方向の力が加えられた場合に前記取出部が設けられた前記天部又は前記底部が折り曲がるように構成された折り曲げ線と、前記取出部が設けられた前記天部又は前記底部のいずれかに設けられ、前記取出部が開封された状態で前記折り曲げ線に沿って前記天部又は前記底部が折り曲げられることによって前記天部又は前記底部が引き裂かれるように構成され、前記折り曲げ線と交差する方向に延びる引き裂き線と、を備え、
前記取出部は、前記天部又は前記底部を貫く開口部を含み、
前記折り曲げ線及び前記引き裂き線のそれぞれの端部が前記開口部と通じている、
ことを特徴とする紙容器。
【請求項３】
前記取出部は、前記天部又は前記底部を貫く開口部を含み、
前記折り曲げ線及び前記引き裂き線のそれぞれの端部が前記開口部と通じている請求項１に記載の紙容器。
【請求項４】
前記取出部は、前記天部又は前記底部の厚さ方向の途中まで切り込まれたハーフカット部を含んでいる請求項１又は２に記載の紙容器。
【請求項５】
前記取出部が設けられた前記天部又は前記底部のいずれかはパルプ繊維の流れ方向である紙目を持つ紙を素材とし、
前記引き裂き線は、前記紙目と同方向に延びている請求項１〜４のいずれか一項に記載の紙容器。
【請求項６】
前記胴部には、上下方向に延びていて、前記胴部に力が加えられた場合に前記胴部が折り曲がるように構成された胴部折り曲げ線が設けられており、
前記胴部折り曲げ線は、半径方向の前記折り曲げ線の延長線上に位置している請求項１〜５のいずれか一項に記載の紙容器。
【請求項７】
前記胴部には、前記胴部が前記胴部折り曲げ線に沿って折り曲げられた際に前記胴部が横方向に折り曲げられるように構成され、前記胴部折り曲げ線を横切る方向に延びる補助折り曲げ線が設けられている請求項６に記載の紙容器。
【請求項８】
前記折り曲げ線及び前記引き裂き線のそれぞれは、前記天部又は前記底部の厚さ方向の途中まで切り込まれたハーフカット部として構成され、
前記天部又は前記底部のいずれか一方には、前記ハーフカット部にて切り込まれた切り口を覆うように貼り付けられたフィルム状の保護部材が設けられている請求項１〜７のいずれか一項に記載の紙容器。
【発明の詳細な説明】
【技術分野】
【０００１】
本発明は、筒状の胴部と、胴部の上端に設けられた天部と、胴部の下端に設けられた底部とを有し、内部に内容物が収められた紙容器に関する。
【背景技術】
【０００２】
使用後の紙容器を破棄する際に潰す減容化作業を容易にするため、上下方向に延びる縦罫線及び横方向に延びる横罫線等を胴部に形成した紙カップが知られている（特許文献１参照）。
【先行技術文献】
【特許文献】
【０００３】
【特許文献１】特開２００３−１８２７２１号公報
【発明の概要】
【発明が解決しようとする課題】
【０００４】
特許文献１の紙カップは、胴部の上端が解放されているため、減容化作業の際には胴部に形成された各罫線に沿って折り畳むことが比較的容易である。しかしながら、胴部の上端及び下端のそれぞれが板状の天部及び底部にて塞がれた紙容器の場合、天部又は底部の強度が比較的高い。そのため、特許文献１の紙カップと同様に胴部に罫線を設けて減容化作業を行っても天部及び底部が破壊されずに残るので、十分な減容化が期待できない。
【０００５】
そこで、本発明は、減容化作業によって十分な減容化を実現できる紙容器を提供することを目的とする。
【課題を解決するための手段】
【０００６】
本発明の第１の紙容器は、筒状の胴部（３）と、前記胴部の上端に設けられた天部（４）と、前記胴部の下端に設けられた底部（５）と、を有し、内容物を内部に収めるための紙容器（１）において、前記天部又は前記底部のいずれか一方に設けられて、前記内容物を外部に取り出すために開封可能な取出部（２０、５０）と、前記取出部が設けられた前記天部又は前記底部のいずれかに設けられ、前記取出部が開封された状態で前記取出部が設けられた前記天部又は前記底部のいずれかに厚さ方向と直交する方向の力が加えられた場合に前記取出部が設けられた前記天部又は前記底部が折り曲がるように構成された折り曲げ線（２５）と、前記取出部が設けられた前記天部又は前記底部のいずれかに設けられ、前記取出部が開封された状態で前記折り曲げ線に沿って前記天部又は前記底部が折り曲げられることによって前記天部又は前記底部が引き裂かれるように構成され、前記折り曲げ線と交差する方向に延びる引き裂き線（２６）と、を備え、前記取出部が開封された状態で前記天部又は前記底部のいずれかに前記力が加えられた場合に開封された前記取出部がきっかけとなって前記折り曲げ線に沿って前記天部又は前記底部が折り曲げられるように、前記取出部及び前記折り曲げ線のそれぞれが配置されているものである（請求項１）。また、本発明の第２の紙容器は、筒状の胴部（３）と、前記胴部の上端に設けられた天部（４）と、前記胴部の下端に設けられた底部（５）と、を有し、内容物を内部に収めるための紙容器（１）において、前記天部又は前記底部のいずれか一方に設けられて、前記内容物を外部に取り出すために開封可能な取出部（２０、５０）と、前記取出部が設けられた前記天部又は前記底部のいずれかに設けられ、前記取出部が開封された状態で前記取出部が設けられた前記天部又は前記底部のいずれかに厚さ方向と直交する方向の力が加えられた場合に前記取出部が設けられた前記天部又は前記底部が折り曲がるように構成された折り曲げ線（２５）と、前記取出部が設けられた前記天部又は前記底部のいずれかに設けられ、前記取出部が開封された状態で前記折り曲げ線に沿って前記天部又は前記底部が折り曲げられることによって前記天部又は前記底部が引き裂かれるように構成され、前記折り曲げ線と交差する方向に延びる引き裂き線（２６）と、を備え、前記取出部は、前記天部又は前記底部を貫く開口部（２１）を含み、前記折り曲げ線及び前記引き裂き線のそれぞれの端部（２５ａ、２６ａ）が前記開口部と通じているものである（請求項２）。
【０００７】
第１の紙容器によれば、使用後の減容化作業において、取出部が設けられた天部又は底部に対して厚さ方向と直交する方向の力を加えた場合に折り曲げ線に沿って天部又は底部が折れ曲がる。引き裂き線は折り曲げ線と交差する方向に延びているので、天部又は底部が折り曲げ線に沿って折れ曲がった場合に、その折り曲げによって引き裂き線と交差する方向に応力が生じて天部又は底部が引き裂き線に沿って引き裂かれる。これにより、天部又は底部が破壊されて胴部の上端又は下端を平たく潰すことができる。したがって、減容化作業によって胴部が潰された状態で天部及び底部の両者が破壊されずに残ることを回避できるので十分な減容化が可能となる。また、第２の紙容器によれば、使用後の減容化作業において、開口部をきっかけとして折り曲げ線によって天部又は底部が確実に折り曲げられ、かつ引き裂き線に沿って天部又は底部が確実に引き裂かれる。これにより、減容化作業によって確実に天部又は底部を破壊することができるので、減容化作業の作業性が向上する。
【０００８】
本発明の第１の紙容器の一態様として、前記取出部は、前記天部又は前記底部を貫く開口部（２１）を含み、前記折り曲げ線及び前記引き裂き線のそれぞれの端部（２５ａ、２６ａ）が前記開口部と通じてもよい（請求項３）。この態様によれば、使用後の減容化作業において、開口部をきっかけとして折り曲げ線によって天部又は底部が確実に折り曲げられ、かつ引き裂き線に沿って天部又は底部が確実に引き裂かれる。これにより、減容化作業によって確実に天部又は底部を破壊することができるので、減容化作業の作業性が向上する。
【０００９】
本発明の第１又は第２の紙容器の一態様として、前記取出部は、前記天部又は前記底部の厚さ方向の途中まで切り込まれたハーフカット部（５１）を含んでもよい（請求項４）。この態様によれば、ハーフカット部が設けられることによりその箇所の強度が部分的に低下する。そのため、ハーフカット部に力を加えることで取出部を容易に開封することができる。
【００１０】
本発明の第１又は第２の紙容器の一態様として、前記取出部が設けられた前記天部又は前記底部のいずれかはパルプ繊維の流れ方向である紙目（ＰＧ）を持つ紙（１１）を素材とし、前記引き裂き線は、前記紙目と同方向に延びてもよい（請求項５）。一般に、紙目を持つ紙は、紙目と直交する方向の引張り強度よりも紙目と同方向の引張り強度が高い機械的特性を有する。この態様によれば、引き裂き線が紙目と同方向に延びているので、引き裂き線に沿って天部又は底部が引き裂かれ易い。そのため、減容化作業において天部又は底部を容易かつ確実に破壊することができる。
【００１１】
本発明の第１又は第２の紙容器の一態様において、前記胴部には、上下方向に延びていて、前記胴部に力が加えられた場合に前記胴部が折り曲がるように構成された胴部折り曲げ線（３０）が設けられており、前記胴部折り曲げ線は、半径方向の前記折り曲げ線の延長線上に位置してもよい（請求項６）。この態様によれば、天部又は底部が折り曲げ線に沿って折り曲げられるとともに引き裂き線に沿って引き裂かれて破壊された場合、天部又は底部の折り曲げ線の延長線上に位置する胴部折り曲げ線に沿って胴部が折り曲げられる。これにより、減容化作業の際に天部又は底部とともに胴部を容易に平たく潰すことができる。
【００１２】
この態様においては、前記胴部には、前記胴部が前記胴部折り曲げ線に沿って折り曲げられた際に前記胴部が横方向に折り曲げられるように構成され、前記胴部折り曲げ線を横切る方向に延びる補助折り曲げ線（３１）が設けられてもよい（請求項７）。この場合、補助折り曲げ線に沿って胴部が横方向に折り曲げられる。減容化作業の際には、胴部が横方向に折り曲げられることにより、天部又は底部のうち破壊されない一方を、平たく潰された胴部に沿わせることができる。そのため、減容化後の紙容器の全体の厚さを薄くできる。
【００１３】
本発明の第１又は第２の紙容器の一態様において、前記折り曲げ線及び前記引き裂き線のそれぞれは、前記天部又は前記底部の厚さ方向の途中まで切り込まれたハーフカット部として構成され、前記天部又は前記底部のいずれか一方には、前記ハーフカット部にて切り込まれた切り口（２５ｂ、２６ｂ）を覆うように貼り付けられたフィルム状の保護部材が設けられてもよい（請求項８）。この態様によれば、ハーフカット部によって切り込まれた側の切り口が保護部材にて覆われる。このため、切り込まれた側が紙容器の内側である場合は、ハーフカット部の切り口と内容物との接触を回避でき、切り込まれた側が紙容器の外側である場合は、ハーフカット部の切り口の露出を回避できる。
【００１４】
なお、本発明の理解を容易にするために添付図面の参照符号を括弧書きにて付記したが、それにより本発明が図示の形態に限定されるものではない。
【発明の効果】
【００１５】
以上説明したように、本発明の第１の紙容器によれば、減容化作業の際に天部又は底部が折り曲げ線に沿って折り曲げられるとともに引き裂き線に沿って引き裂かれるため、天部又は底部が破壊されて胴部の上端又は下端を平たく潰すことができる。したがって、減容化作業によって胴部が潰された状態で天部及び底部の両者が破壊されずに残ることを回避できるので十分な減容化が可能となる。また、第２の紙容器によれば、使用後の減容化作業において、開口部をきっかけとして折り曲げ線によって天部又は底部が確実に折り曲げられ、かつ引き裂き線に沿って天部又は底部が確実に引き裂かれる。これにより、減容化作業によって確実に天部又は底部を破壊することができるので、減容化作業の作業性が向上する。
【図面の簡単な説明】
【００１６】
【図１】本発明の一形態に係る紙容器をその一部を切除して示した斜視図。
【図２】図１の紙容器の素材の構成を示した断面図。
【図３】図１の紙容器の蓋テープを剥がした状態の天部を示した平面図。
【図４】図３のIV-IV線に沿った断面図。
【図５】減容化作業のために胴部の上端に力を加えた状態を示した説明図。
【図６】図５の状態よりも更に胴部が押し潰された状態を示した説明図。
【図７Ａ】胴部折り曲げ線に沿って胴部を折り曲げた状態を示した説明図。
【図７Ｂ】補助折り曲げ線に沿って胴部を折り曲げた状態を示した説明図。
【図７Ｃ】図７ＢのVIIC方向から見た状態を示した図。
【図８】紙容器の製造方法を示した説明図。
【図９】開口部の他の形態を示した説明図。
【図１０】取出部の他の形態を示した説明図。
【図１１】比較例を示した説明図。
【発明を実施するための形態】
【００１７】
図１に示した紙容器１には、内容物である清涼飲料、乳飲料等の飲料が内部に収められる。紙容器１は所定の飲料が収められた状態で内部を閉鎖する壁部２を備えている。壁部２は上下方向に直径が一定の円筒面を持つ筒状の胴部３と、胴部３の上端を塞ぐ円形状の天部４と、胴部３の下端を塞ぐ底部５とを含む。
【００１８】
紙容器１には飲料を使用者が吸入するためのストロー６が付属している。ストロー６は透明な小袋７に収納されている。その小袋７は胴部３に貼り付けられている。その小袋７を胴部３から剥離して小袋７を破くことによりストロー６を取り出すことができる。ストロー６は周知の伸縮式ストローとして構成されている。
【００１９】
壁部２の各要素は図２に示した積層材１０を素材としている。積層材１０は薄板状に構成されている。紙基材１１の一方（図２の下側）の面１１ａは耐水性を与えるポリエチレン層１２にて覆われ、他方（図２の上側）の面１１ｂは被覆層１３にて覆われている。被覆層１３は、紙基材１１の側から、第１ポリエチレン層１４、アルミ層１５及び第２ポリエチレン層１６の順序でこれらの層が積層されることによって構成されている。壁部２の各要素はポリエチレン層１２が容器内部側に、被覆層１３が容器外部側に位置するようにして組み立てられている。紙基材１１の紙としては種々のものを使用できる。例えば、カップ原紙、合成紙、クレイコート紙、クラフト紙等を紙基材１１の素材として用いることができる。なお、紙基材１１の紙の坪量としては２００〜３００ｇ／ｍ２の範囲がカップ成形上好ましい。各ポリエチレン層１２、１４、１６はそれぞれ低密度ポリエチレンを構成材料とし、１５μｍ程度の厚さを持つ。
【００２０】
図１に示したように、紙容器１の天部４には内容物たる飲料を取り出すための取出部２０が設けられている。取出部２０は、ストロー６の挿入のための、又は飲み口として機能する開口部２１と、その開口部２１を塞ぐように天部４に貼り付けられた蓋テープ２２とを含む。開口部２１は天部４を貫いている。図３及び図４に示したように、天部４には同一直線上に並ぶ２本の折り曲げ線２５と、各折り曲げ線２５と直交する方向に延びる引き裂き線２６とがそれぞれ形成されている。図４に示されたように、折り曲げ線２５及び引き裂き線２６のそれぞれは天部４の厚さ方向の途中まで切り込まれたハーフカット部として構成されている。図３に示したように、折り曲げ線２５の端部２５ａ及び引き裂き線２６の端部２６ａのそれぞれは開口部２１に通じている。図４に示したように、折り曲げ線２５及び引き裂き線２６の切り込み側の切り口２５ｂ、２６ｂはフィルム状の保護部材２８にて覆われており、その保護部材２８は天部４の内面側にヒートシール法によって貼り付けられている。これにより、折り曲げ線２５及び引き裂き線２６の切り口２５ｂ、２６ｂから内容物たる飲料が浸透することを防止できる。
【００２１】
飲料が取り出された後の使用済みの紙容器１に対して減容化作業を行うため、図５に示したように、胴部３の上端を潰すように天部４の厚さ方向と直交する方向（図５の上下方向）に力Ｆを加えると、開口部２１をきっかけとして折り曲げ線２５が端部２５ａの側から上方に盛り上がり、天部４が折り曲げ線２５に沿って折れ曲がる。その折れ曲がりによって引き裂き線２６を横切る方向の応力ｆが天部４に生じ、その応力ｆによって引き裂き線２６の端部２６ａを起点として天部４が引き裂かれる。更に、図６に示したように胴部３を押し潰すと、引き裂き線２６に沿って天部４が大きく引き裂かれ、引き裂き線２６が形成されていない天部４の反対側４ａも開口部２１を起点として引き裂かれる。これにより、破壊された天部４は胴部３から突き出るようにして折り畳まれ、胴部３の上端は平たく潰される。
【００２２】
図１にも示したように、紙容器１の胴部３には上下方向に延びる胴部折り曲げ線３０と、胴部折り曲げ線３０を横切る方向に延びる補助折り曲げ線３１とがそれぞれ形成されている。これらの折り曲げ線３０、３１は型押しされることで形成される罫線として構成されている。胴部折り曲げ線３０は天部４に形成された折り曲げ線２５の延長線上に位置し、図１の手前側だけでなく奥側にも形成されている。つまり、胴部折り曲げ線３０は胴部３に１８０°毎に１本ずつ、合計２本形成されている。そのため、図６のように胴部３の上端が平たく潰されると、図７Ａに示したように胴部折り曲げ線３０に沿って胴部３が折り曲げられる。その際、底部５は歪むことになるが破壊されずに維持される。そして、図７Ｂ及び図７Ｃに示すように、補助折り曲げ線３１に沿って胴部３が横方向に折り曲げられることにより、破壊されていない底部５が胴部３に沿うようにして折り畳まれる。
【００２３】
紙容器１は図８の工程（ａ）〜（ｊ）を経て製造される。まず初めに、上述した積層材１０（図２）を準備する。図８の工程（ａ）においては、積層材１０を不図示の裁断機を使用して輪郭が長方形状の胴部ブランク３′を切り出す。その切り出しと同時に、不図示の型を積層材１０に押し当てて胴部折り曲げ線３０及び補助折り曲げ線３１を罫線として形成する。次に、工程（ｂ）においては、切り出された胴部ブランク３′を筒状に丸めて両端部３ａ′を相互に接着する。
【００２４】
一方、工程（ｃ）においては、積層材１０を不図示の裁断機を使用して輪郭が円形状の天部ブランク４′を切り出す。その切り出しと同時に所定形状の打ち抜き刃（不図示）で積層材１０を打ち抜いて開口部２１を形成する。なお、開口部２１の長手方向（図８の上下方向）が積層材１０の構成要素である紙基材１１の紙目ＰＧと同方向になるように裁断機と積層材１０との向きを合わせる。周知のように、紙目ＰＧはパルプの繊維の流れ方向のことである。工程（ｄ）においては、切り出された天部ブランク４′を、不図示のプレス機の上型４０及び下４１にて挟み込み、天部ブランク４′に対してハーフカット部として構成される折り曲げ線２５及び引き裂き線２６をそれぞれ形成する。引き裂き線２６は開口部２１の長手方向と同方向、すなわち紙目ＰＧと同方向に延びるように形成される。この下型４１には折り曲げ線２５及び引き裂き線２６のそれぞれの大きさに対応した切り刃４１ａが設けられている。工程（ｅ）においては、円形状の保護部材２８を折り曲げ線２５及び引き裂き線２６の各切り口が覆われるように天部ブランク４′にヒートシール法にて貼付する。そして、保護部材２８が貼付される面と反対側の面（外側の面）に、開口部２１が塞がれるように蓋テープ２２を貼付する。工程（ｆ）においては、天部ブランク４′の外周縁４ａ′を下方に屈曲させる成形加工を施す。
【００２５】
工程（ｇ）においては、積層材１０を不図示の裁断機を使用して輪郭が円形状の底部ブランク５′を切り出す。工程（ｈ）においては、底部ブランク５′の外周縁５ａ′を下方に屈曲させる成形加工を施す。以上説明した工程（ａ）及び工程（ｂ）と、工程（ｃ）〜工程（ｆ）と、工程（ｇ）及び工程（ｈ）とは、それぞれ並行して実施することができる。また、折り曲げ線２５及び引き裂き線２６の形成には、切り刃の代わりにレーザーを用いてもよい。この場合には、紙容器を成型した後でもハーフカットを形成することができ、製造工程の自由度が上がる。
【００２６】
工程（ｉ）においては、天部ブランク４′の端部が胴部ブランク３′の端部に包み込まれるように、胴部ブランク３′の端部を図の上方に折り込む。そして、回転する不図示の円形型を、その折り込み部に半径方向内側から押し当てて圧着する。この工程（ｉ）によって、胴部ブランク３′と天部ブランク４′とが組み合わされた後に、図示の向きで内容物たる飲料を不図示の飲料充填機にて所定量注入する。飲料の注入が終了すると工程（ｊ）に進む。
【００２７】
工程（ｊ）においては、工程（ｉ）と同様にして底部ブランク５′を胴部ブランク３′に取り付ける。すなわち、底部ブランク５′の端部が胴部ブランク３′の端部に包み込まれるように胴部ブランク３′の端部を図の下方に折り込む。そして、回転する不図示の円形型を、その折り込み部に半径方向内側から押し当てて圧着する。その後、ストロー６が収納された小袋７（図１）を胴部３に貼り付けることにより、飲料が充填された紙容器１が完成する。
【実施例】
【００２８】
上記の方法で製造された紙容器１について、内容物として水を充填したものを作成し、水漏れがないことを確認した。その確認後、内容物が消費された場合を想定して水を排出して減容化作業を行った。すなわち、紙容器１の上部を持ち潰したところ、図６に示した場合と同様に天部４が破壊され、その後、図７Ａ〜図７Ｃに示した状態と同様な減容化が可能となった。
【００２９】
以上説明した紙容器１によれば、使用後の減容化作業によって、図７Ａに示したように、天部４が破壊されて胴部３の上端を平たく潰すことができる。したがって、減容化作業によって胴部３が潰された状態で天部４及び底部５の両者が破壊されずに残ることを回避できるので十分な減容化が可能となる。また、紙容器１は、折り曲げ線２５及び引き裂き線２６のそれぞれの端部２５ａ、２６ａが開口部２１に通じているので、使用後の減容化作業において、開口部２１をきっかけとして折り曲げ線２５によって天部４が確実に折り曲げられ、かつ引き裂き線２６に沿って天部４が確実に引き裂かれる。これにより、減容化作業の作業性が向上する。更に、引き裂き線２６が紙目ＰＧ（図８参照）と同方向に延びているので、引き裂き線２６に沿って天部４が引き裂かれ易いため、減容化作業において天部４を容易かつ確実に破壊することができる。
【００３０】
また、紙容器１はその胴部３に胴部折り曲げ線３０が設けられているので、天部４が折り曲げ線２５に沿って折り曲げられるとともに引き裂き線２６に沿って引き裂かれて破壊された場合、図７Ａ〜図７Ｃに示すように、天部４の折り曲げ線２５の延長線上に位置する胴部折り曲げ線３０に沿って胴部が折り曲げられる。これにより、減容化作業の際に天部４とともに胴部３を容易に平たく潰すことができる。そして、胴部３に補助折り曲げ線３１が設けられているため、減容化作業の際に胴部３が補助折り曲げ線３１にそって横方向に折り曲げられることにより、図７Ｂ及び図７Ｃに示したように平たく潰された胴部３に底部５を沿わせることができる。そのため、減容化後の紙容器１の全体の厚さを薄くできる。
【００３１】
本発明は上記の形態に限定されず、種々の形態にて実施してよい。上記形態の紙容器はその素材として紙基材の両面が紙とは異なる異種材料で覆われている。しかし、紙容器の素材は紙を含む限りどのような構成であってもよい。紙容器の形状は上記形態のように円柱形状のものには限らない。したがって、天部及び底部が存在する限り、紙容器の形状を円錐台形状や直方体状等の立体形状で実施することも可能である。
【００３２】
内容物は飲料等の液体に限らず、菓子等の固体や、固体と液体との中間的性質を持つゲル状の物であってもよい。取出部が設けられた部位に折り曲げ線及び引き裂き線が形成される限度で、取出部が天部又は底部のいずれに設けられていてもよい。また、取出部が設けられた部位に折り曲げ線及び引き裂き線が設けられている限り、胴部に胴部折り曲げ線又は補助折り曲げ線が存在しない形態で本発明を実施してもよい。
【００３３】
上記形態は取出部が天部を貫く開口部を含んでいるが、開口部の形状や位置は図示のものに限らない。たとえば、図９に示すように、円形状の開口部２１′を天部４に形成し、折り曲げ線２５及び引き裂き線２６の各端部２５ａ、２６ａが開口部２１′と通じるようにして本発明を実施することもできる。
【００３４】
また、取出部が天部又は底部を貫く開口部を含むことは本発明の必須要件ではない。例えば、図１０に示したように、取出部５０を天部４の厚さ方向の途中まで切り込まれた２本のハーフカット部５１が交差するようにして構成することもできる。そして、各ハーフカット部５１の切り口を覆うように蓋シール５２を貼り付けてもよい。ハーフカット部５１が設けられることによりその箇所の強度が部分的に低下するため、ハーフカット部５１に力を加えることで取出部５０を容易に開封することができる。図１０の形態においては、各ハーフカット部５１は容器外側から切り込まれ、折り曲げ線２５及び引き裂き線２６は容器内側から切り込まれている。各ハーフカット部５１の切り込みの深さは折り曲げ線２５及び引き裂き線２６の切り込みの深さよりも深く形成されている。図１０の形態においても、使用後の減容化作業において、開封された取出部５０がきっかけとなって、天部４が折り曲げ線２５に沿って折り曲げられるとともに、引き裂き線２６に沿って引き裂かれるため、上述した紙容器１と同様に胴部３の上端を平たく潰すことができる。
【００３５】
折り曲げ線及び引き裂き線をハーフカット部として構成することは一例にすぎない。例えば、折り曲げ線を罫線にて構成し、引き裂き線をハーフカット部にて構成することも可能である。また、折り曲げ線又は引き裂き線をハーフカット部や罫線にて構成する他に、厚さ方向に貫通する複数の切り込みが残存部を残して連続的に存在するミシン目や、厚さ方向の途中まで切り込まれた複数の切り込みが残存部を残して連続的に存在するハーフカット状のミシン目によって構成することもできる。なお、折り曲げ線や引き裂き線の数に制限はなく、複数でも単数でも構わない。
【００３６】
折り曲げ線及び引き裂き線の各切り口側に保護部材を貼付することは必須ではない。紙容器に収められる内容物の種類や性状に応じ、その保護部材を省略して実施することも可能である。
【００３７】
（比較例）
図１１に本発明に対する比較例を示す。以下、上記形態と共通の構成には図１１に同一の参照符号を付して、共通の構成についての説明を省略ないし簡略化する。図１１を参照すれば明らかなように、比較例に係る紙容器１′には、天部４に引き裂き線２６のみが形成されており、図１の折り曲げ線２５が存在しない。紙容器１′の引き裂き線２６の構成は図１の紙容器と同じである。すなわち、裂き線２６は天部４の厚さ方向の途中まで切り込まれたハーフカット部として構成されていて、その端部２６ａは開口部２１に通じている。図１１の紙容器１′を複数個用意し、図１の紙容器１と同様に各紙容器１′に対して減容化作業を行った。その結果、引き裂き線２６に沿って天部４が引き裂かれずに天部４が折り曲がるだけで、胴部３の上部を十分に平たく潰すことができない場合があった。これにより、図１の紙容器１の折り曲げ線２５によって、引き裂き線２６に沿った天部４の引き裂きを確実に促す効果があることが確認できた。すなわち、折り曲げ線２５ととともに引き裂き線２６を天部４に設けることの優位性が確認できた。
【符号の説明】
【００３８】
１  紙容器
３  胴部
４  天部
５  底部
２０  取出部
２１、２１′  開口部
２５  折り曲げ線
２５ａ  端部
２５ｂ  切り口
２６  引き裂き線
２６ａ  端部
２６ｂ  切り口
３０  胴部折り曲げ線
３１  補助折り曲げ線
５０  取出部
５１  ハーフカット部
【図１】
0005990999.tif 000002
【図２】
0005990999.tif 000003
【図３】
0005990999.tif 000004
【図４】
0005990999.tif 000005
【図５】
0005990999.tif 000006
【図６】
0005990999.tif 000007
【図７Ａ】
0005990999.tif 000008
【図７Ｂ】
0005990999.tif 000009
【図７Ｃ】
0005990999.tif 000010
【図８】
0005990999.tif 000011
【図９】
0005990999.tif 000012
【図１０】
0005990999.tif 000013
【図１１】
0005990999.tif 000014